(57)【要約】【課題】確実にロックが係り、使い勝手の良いロック機構付き開閉尾錠を、比較的簡単な構成で提供する。【解決手段】尾錠軸（軸部）３と、前記軸部３を中心に回動し開閉動作を行なう尾錠（尾錠回動部）１と、前記軸部３を保持する尾錠ヒンジ（尾錠固定部）２と、前記軸部３を内部に貫通させ通常は閉動作を行なう向きに前記尾錠回動部１を附勢する尾錠バネ５と、前記軸部３に回動自在に係合すると共に前記軸部３方向に移動可能でその一部が前記尾錠回動部１に接触しているロック板４とを備え、前記ロック板４を一方向に移動させた際に、前記ロック板４と前記尾錠固定部２が係合し、前記尾錠回動部１が開動作できない状態に保持する構成とした。これにより、確実にロックが係り、使い勝手の良いロック機構付き開閉尾錠を、比較的簡単な構成で提供できる。【選択図】図４
2005329974.tif 000002
【特許請求の範囲】
【請求項１】
軸部と、前記軸部を中心に回動し開閉動作を行なう尾錠回動部と、前記軸部を保持する尾錠固定部と、前記軸部を内部に貫通させ通常は閉動作を行なう向きに前記尾錠回動部を附勢する尾錠バネと、前記軸部に回動自在に係合すると共に前記軸部方向に移動可能でその一部が前記尾錠回動部に接触しているロック板とを備え、前記ロック板を一方向に移動させた際に、前記ロック板と前記尾錠固定部が係合し、前記尾錠回動部が開動作できない状態に保持するロック機構付き開閉尾錠。
【請求項２】
ロック板と尾錠固定部が係合するためのロック係り部を、ロック板または尾錠固定部に設けた請求項１記載のロック機構付き開閉尾錠。
【請求項３】
少なくとも、軸部、尾錠固定部、ロック板を金属にした請求項１または２記載のロック機構付き開閉尾錠。
【請求項４】
尾錠回動部にロック板の一部を保持する腕部を設け、前記ロック板を一方向に移動させて前記尾錠回動部を開動作させる際に、前記腕部により前記ロック板が前記尾錠回動部と共に回動するようにした請求項１〜３のいずれか1項に記載のロック機構付き開閉尾錠。
【請求項５】
腕部を樹脂製にし、ロック板の操作にクリック感を持たせるように腕部に突起を設けた請求項４記載のロック機構付き開閉尾錠。
【請求項６】
ロック板をＵ字形状とし、Ｕ字の両端を軸部に摺動自在に係合させた請求項１〜５のいずれか1項に記載のロック機構付き開閉尾錠。
【請求項７】
ロック板のロック係り部と接する部分を、Ｕ字形状片側の一端に設けると共に、ロック係り部を平面形状にした請求項６に記載のロック機構付き開閉尾錠。
【請求項８】
ロック板を軸方向に移動させるロックつまみを設け、その一部を前記ロック板のＵ字形状間に挿入した請求項６または７記載のロック機構付き開閉尾錠。
【請求項９】
請求項１〜８のいずれか１項に記載のロック機構付き開閉尾錠を用いた生ごみ処理機。
【発明の詳細な説明】
【技術分野】
【０００１】
本発明は、ロック機構付きの開閉尾錠に関するものである。
【背景技術】
【０００２】
従来のロック機構付き開閉尾錠（例えば、特許文献１）を図５を用いて説明する。金属製の尾錠１は、金属製の尾錠ヒンジ２に保持された同じく金属製の尾錠軸３を軸に開閉可能に保持されており、片側を尾錠１に掛け片側を尾錠ヒンジ２に掛けて尾錠１を閉める向きに作用する尾錠バネ５を設けている。また、尾錠軸３の両端には抜け止め防止の止め輪６を固定している。尾錠１にはＰＰ等の樹脂製で取っ手部を有した尾錠カバー７が螺子とめされている。
【０００３】
ここで尾錠１は、機器の蓋１３に設けられており、閉時には機器の本体１４に掛かっている。蓋１３の表面には、内部に延びる操作棒１５を有したロックつまみ１６が摺動可能に取り付けてあり、操作棒１５は樹脂製の横長のロック板４に差し込まれている。ロックつまみ１６を摺動させるとロック板４は、尾錠カバー７に乗り上げ、尾錠１をロック状態にした。
【０００４】
以上のように構成されたロック機構付き尾錠について、以下その動作、作用を説明する。尾錠カバー７の取っ手に手を掛け持ち上げると、尾錠１は尾錠ヒンジ２に保持された尾錠軸３を中心に回動し本体１４への係り部が外れ蓋１３が開く。次に蓋１３を閉め尾錠カバー７から手を離すと、尾錠１は尾錠バネ５の作用によって再び本体１４に尾錠１を掛ける。
【０００５】
ここで、不必要な時や幼児が機器を開けないよう尾錠１にロックを掛ける動作を説明すると、ロックつまみ１６を指で摺動させると、操作棒１５がロック板４を移動させ尾錠１及び尾錠カバー７の上部に乗り上げる。この状態で、尾錠カバー７の取っ手に手を掛け持ち上げても、ロック板４が尾錠カバー７に乗り上げているので、尾錠１の回動を押さえ込み尾錠１がロック状態になっており蓋１３は開かない。
【特許文献１】特開平１１−２６２７４３公報
【発明の開示】
【発明が解決しようとする課題】
【０００６】
しかしながら、上記従来の構成では、ロック板４と尾錠１の取付け部品が異なる為、部品精度のバラツキを吸収できない構造になっていた。また樹脂同士あるいは樹脂と金属によるロックになっていたので、強い力で尾錠１を開けようとすると、樹脂部が変形し尾錠１が開くことがあった。
【０００７】
本発明は上記課題を解決するもので、より確実にロックが係り使い勝手の良いロック機構付き開閉尾錠を、比較的簡単な構造で提供することを目的とする。
【課題を解決するための手段】
【０００８】
上記課題を解決するために本発明は、軸部と、前記軸部を中心に回動し開閉動作を行なう尾錠回動部と、前記軸部を保持する尾錠固定部と、前記軸部を内部に貫通させ通常は閉動作を行なう向きに前記尾錠回動部を附勢する尾錠バネと、前記軸部に回動自在に係合すると共に前記軸部方向に移動可能でその一部が前記尾錠回動部に接触しているロック板とを備え、前記ロック板を一方向に移動させた際に、前記ロック板と前記尾錠固定部が係合し、前記尾錠回動部が開動作できない状態に保持する構成とした。これにより、尾錠の軸部を活用しロック機構の専用部品をロック板のみとした部品点数を最小限に抑えると同時に、部品の取付けによるバラツキを抑えたロック機構付き開閉尾錠を実現できる。また、より確実にロックが係り使い勝手の良いロック機構付き開閉尾錠を実現できる。
【発明の効果】
【０００９】
本発明によれば、尾錠の軸部を活用しロック機構の専用部品をロック板のみとした部品点数を最小限に抑えると同時に、部品の取付けによるバラツキを抑えたロック機構付き開閉尾錠を実現できる。
【発明を実施するための最良の形態】
【００１０】
第１の発明は、軸部と、前記軸部を中心に回動し開閉動作を行なう尾錠回動部と、前記軸部を保持する尾錠固定部と、前記軸部を内部に貫通させ通常は閉動作を行なう向きに前記尾錠回動部を附勢する尾錠バネと、前記軸部に回動自在に係合すると共に前記軸部方向に移動可能でその一部が前記尾錠回動部に接触しているロック板とを備え、前記ロック板を一方向に移動させた際に、前記ロック板と前記尾錠固定部が係合し、前記尾錠回動部が開動作できない状態に保持する構成とした。これにより、尾錠の軸部を活用しロック機構の専用部品をロック板のみとした部品点数を最小限に抑えると同時に、部品の取付けによるバラツキを抑えたロック機構付きの開閉尾錠を提案できる。また、より確実にロックが係り使い勝手の良いロック機構付き開閉尾錠を実現できる。
【００１１】
第２の発明は、ロック板と尾錠固定部が係合するためのロック係り部を、ロック板または尾錠固定部に設けたので、ロック板とロック係り部が接したロックの掛かった状態の強度が向上し、簡単な構成でより安全なロック機構付き尾錠を提供できる。
【００１２】
第３の発明は、少なくとも、軸部、尾錠固定部、ロック板を金属にしたので、尾錠の係り強度を向上させると同時に、結果的にロック板とロック係り部が接したロックの掛かった状態の強度が向上した、簡単な構成でより安全なロック機構付き尾錠を提供できる。
【００１３】
第４の発明は、尾錠回動部にロック板の一部を保持する腕部を設け、前記ロック板を一方向に移動させて前記尾錠回動部を開動作させる際に、前記腕部により前記ロック板が前記尾錠回動部と共に回動するようにしたので、ロック板が単独で回転するのを防ぎ輸送等で、本体を揺さぶることがあっても、確実にロック板がロック出来る状態の位置に保持できる。よって生産性にすぐれ、簡単な構成でより安全なロック機構付き尾錠を提供できる。
【００１４】
第５の発明は、腕部を樹脂製にし、ロック板の操作にクリック感を持たせるように腕部に突起を設けたので、ユーザーがロックを操作するときの操作感に優れた、使用性の良いロック機構を簡単な構成で提供できる。また、突起は意図的に操作しないと乗り越えられないので、輸送等で本体が揺さぶられることがあっても、ロック板の位置をロック状態か否か一方に選択できる。よって生産性にも優れている。
【００１５】
第６の発明は、ロック板をＵの字形状とし、Ｕ字の両端を軸部に摺動自在に係合したので、ロック板を加工上簡単な形状で平行度を確保でき、ロック板の操作感をスムーズにすることが出来る。
【００１６】
第７の発明は、ロック板のロック係り部と接する部分を、Ｕ字形状片側の一端に設けると共に、ロック係り部を平面形状にしたので、簡単な形状で安全性に優れたロック機構を得ることが出来、ロック係り部を平面形状にすることでロックの係り範囲を多く確保できるので、ラフな操作でも確実にロック状態を確保できる。
【００１７】
第８の発明は、ロック板を軸方向に移動させるロックつまみを設け、その一部を前記ロック板のＵ字形状間に挿入したので、ロック機構を維持したまま、ロックつまみを外観部品としてデザイン的自由度が取れると同時に指で操作しやすい形状に出来る。よってユーザーがロックを操作するときの操作感に優れた、使用性の良いロック機構を簡単な構成で提供できる。
【００１８】
第９の発明は、第１〜第８のいずれか１つの発明に記載のロック機構付き開閉尾錠を用いた生ごみ処理機としたので、生ごみ処理機の開閉蓋部のロック性能を向上できるものである。
【００１９】
以下、本発明の実施の形態について、図面を参照しながら説明する。なお、この実施の形態によって本発明が限定されるものではない。
【００２０】
（実施の形態１）
図１は、本発明第１の実施の形態における安全なロック機構付き開閉尾錠の平面図である。図２は、断面図である。図３は、正面図である。
【００２１】
図１において金属製の尾錠（尾錠回動部）１は、金属製の尾錠ヒンジ（尾錠固定部）２に保持された同じく金属製の尾錠軸（軸部）３を軸に開閉可能に保持されており、尾錠軸３には回動自在に係合すると共に、軸方向に移動可能にロック板４を配し、片側を尾錠１に掛け片側を尾錠ヒンジ２に掛けて尾錠１を閉める向きに作用する尾錠バネ５を設けている。また、尾錠軸３の両端には抜け止め防止の止め輪６を固定している。尾錠１には摺動性の良い樹脂であるＰＯＭ製で取っ手部を有した尾錠カバー７が螺子とめされており、尾錠カバー７にはロック板４の先端に設けた突き出し部８を保持する腕部９が設けられている。腕部９は片側開で後段にて説明するロック板４のロック状態と開放状態の境界に下方向に半円状の突起１０を設けている。また突起１０は突き出し部８を圧接する寸法となっている。ロック板４は金属製で前後に長く断面が略Ｕ字形状であり、後方には両壁に尾錠軸３を通す孔が、片壁からは下方に切起こしたロック部１１がある。ロック板４の前方は尾錠１に上端に接触しＵ字の間からは前方に略断面ヘの字の突き出し部８を配している。尾錠ヒンジ２にはロック部１１と接して尾錠１をロック状態にするロック係り部１２が設けられている。
【００２２】
ここで尾錠１は、機器の蓋１３に設けられており、閉時には機器の本体１４に掛かっている。蓋１３の表面には、内部に延びる操作棒１５を有したロックつまみ１６が尾錠軸３にほぼ平行に摺動可能に配してあり、操作棒１５はロック板４のＵ字の間に差し込まれている。
【００２３】
以上のように構成されたロック機構付き尾錠について、以下その動作、作用を説明する。
【００２４】
尾錠カバー７の取っ手に手を掛け持ち上げると、尾錠１は尾錠ヒンジ２に保持された尾錠軸３を中心に回動し本体１４への係り部が外れ蓋１３が開く。この時ロック板４は突き出し部８を腕部９に保持されているので尾錠１と共に回動する。次に蓋１３を閉め尾錠カバー７から手を離すと、尾錠１は尾錠バネ５の作用によって再び本体１４に尾錠１を掛ける。
【００２５】
ここで、不必要な時や幼児が機器を開けないよう尾錠１にロックを掛ける動作を説明すると、ロックつまみ１６を指で摺動させると、操作棒１５がロック板４を尾錠軸３上に移動させ、ロック板４のロック部１１と尾錠ヒンジ２のロック係り部１２が接する位置にて止まる。この状態で、尾錠カバー７の取っ手に手を掛け持ち上げても、ロック板４が回動しないので、尾錠１の回動を押さえ込み尾錠１がロック状態になっており蓋１３は開かない。このとき、ロック板４の突き出し部８が腕部９の突起１０を乗り越えるときに操作上のクリック感が発生し、ロック動作をより確実に使用者に伝える。また、突き出し部８は略への字形状で突起１０は半円形なので、互いに線接触となる上に圧接関係にあるので途中で止まることはなく、腕部９の塑性変形も誘発しない。また、腕部９を含んだ尾錠カバー７が摺動性の良いＰＯＭ材なので、繰り返し使用しても変形や磨耗する事はほとんど無く使い勝手にも優れている。
【００２６】
よってロック板４と尾錠１が同じ尾錠軸３上にあり部品の取付けによるバラツキを抑え動作の確実性を向上させた上に、ロック機構の専用部品をロック板４のみとして部品点数を最小限に抑えたロック機構付きの開閉尾錠を提案できる。また、ロックを維持する為に構成する部品を金属にて構成したので、ロック力は強力である。またロック板４の突き出し部８を尾錠カバー７の腕部９が保持しているので、輸送等で本体１４を揺さぶることがあっても、移動確実にロック板４がロック出来る状態の位置に保持できる。
【００２７】
なお、ロック板とロック係り部のみ／またはヒンジ部全体を金属にしても、同様の効果を得ることは言うまでもない。
【産業上の利用可能性】
【００２８】
以上のように、本発明にかかるロック機構付きの開閉尾錠は、簡単な構成でより安全なロック機構を提供できる。
【図面の簡単な説明】
【００２９】
【図１】本発明の第１の実施の形態のロック機構付き開閉尾錠周囲の平面図
【図２】同尾錠周囲の断面図
【図３】同尾錠周囲の正面図
【図４】同尾錠周囲の破断面斜視図
【図５】従来の尾錠周囲の平面図
【符号の説明】
【００３０】
１  尾錠（尾錠回動部）
２  尾錠ヒンジ（尾錠固定部）
３  尾錠軸（軸部）
４  ロック板
８  突き出し部
９  腕部
１０  突起
１１  ロック部
１２  ロック係り部
１６  ロックつまみ
【図１】
2005329974.tif 000003
【図２】
2005329974.tif 000004
【図３】
2005329974.tif 000005
【図４】
2005329974.tif 000006
【図５】
2005329974.tif 000007